(57)【特許請求の範囲】
【請求項１】
ダム堤体などの斜面を構築する際に用いるプレキャスト傾斜型枠パネルであって、該傾斜型枠パネルの上辺部端面に断面形状がほゞ半小判形の凹部を、下辺部端面に前記凹部と緩く嵌合するほゞ半円形の凸部をそれぞれ形成したことを特徴とするプレキャスト傾斜型枠パネル。
【請求項２】
前記プレキャスト傾斜型枠パネルの上辺部及び下辺部を背面側に突出させて中央部の断面厚より大きい肉厚部でそれぞれ形成するとゝもに、前記肉厚部とした上辺部および下辺部の端面に前記凹部および凸部をそれぞれ形成したことを特徴とする請求項１記載のプレキャスト傾斜型枠パネル。
【請求項３】
前記プレキャスト傾斜型枠パネルの背面を粗面化したことを特徴とする請求項１又は２記載のプレキャスト傾斜型枠パネル。
【請求項４】
前記プレキャスト傾斜型枠パネルの背面に、上方延長の受け金具を固定するための上下両辺部に埋設したインサート、左右延長の連結金具を固定するための左右両辺部に埋設したインサート及びパネルの背面側に打設されるＣＳＧ部と一体性を確保するためにアンカーを固定するためのインサートをそれぞれ備えたことを特徴とする請求項１，２又は３記載のプレキャスト傾斜型枠パネル。
【請求項５】
前記プレキャスト傾斜型枠パネルの上方位置に、吊り金具の取付けボルト部を挿通するための貫通孔を穿設してなり、該貫通孔に前記吊り金具の取付けボルト部を正面側から挿通し、貫通した前記取付けボルト部を背面側で固定してパネルの正面側の上方位置に取り付けてなる前記吊り金具を、背面側で固定を解いて前記吊り金具を取り外し可能となるように形成したことを特徴とする請求項１，２，３又は４記載のプレキャスト傾斜型枠パネル。
【請求項６】
前記プレキャスト傾斜型枠パネルの全高をパネルの背面側に打設される２リフト分のＣＳＧ部の高さとほゞ同じ高さに形成するとゝもに、１リフト分のＣＳＧ部と一体性を確保するために１リフト分のＣＳＧ部の高さより低い位置に埋設したアンカーを固定するためのインサートを備えたことを特徴とする請求項１，２，３，４又は５記載のプレキャスト傾斜型枠パネル。
【請求項７】
請求項６記載のプレキャスト傾斜型枠パネルを所定角度傾斜させ、左右に連結金具を介して１段目のプレキャスト傾斜型枠パネルを延設する第１工程、前記各パネルの背面にアンカーを取り付けた後、１リフト分の下部ＣＳＧ部を施工する第２工程、上方延長の受け金具の下端部を前記パネルの上辺部に固定した後、更に１リフト分の上部ＣＳＧ部を施工する第３工程、前記上辺部端面に形成した凹部と下辺部端面に形成した凸部の突き合わせ部において、前記凸部を凹部内で回動，左右方向および／または上方向へ移動して調整をする第４工程、前記受け金具の上端部を２段目のプレキャスト傾斜型枠パネルの下端部に固定して２段目のプレキャスト傾斜型枠パネルを延設する第５工程からなり、上記第１から第５の各工程を繰り返すことを特徴とする堤体の構築方法。
【請求項８】
前記連結金具のパネルとの取り付け孔が楕円状のボルト孔であり、起立部に形成した連結孔が斜め楕円状のボルト孔であるＬ字形の鋼材金具であることを特徴とする請求項７記載の堤体の構築方法。
【発明の詳細な説明】
【技術分野】
【０００１】
本発明は、台形ＣＳＧ(Cemented Sand and Gravel)ダムなどの斜面を構築するに際に使用して最適なプレキャスト傾斜型枠パネル及びこの傾斜型枠パネルを用いた堤体の構築方法に関する。
【背景技術】
【０００２】
プレキャスト型枠（ＰＣ型枠）及びその組立て方法として、特許第２９５８４２４号公報に記載のように、工事現場でのセットや組立てが容易で、型枠支保が不要で作業性がよく、後打ちコンクリートとの一体性も確保できる技術が提案されている。
【０００３】
このＰＣ型枠利用の工法は、外方に突出する上段パネルと、該上段パネルと段部を介してこれに連続して形成される内方に突出する下段パネルとで型枠パネルを構成し、組立てに際しては、下方型枠パネルの上段パネルの裏面に、上方型枠パネルの下段パネルの表面を重ね合わせる施工方法を採っている。このような構成とすれば、パネル同士の確実な係合が期待できる。
【０００４】
また、別の工法として、特許第４０７９４３５号公報に記載のように、ＰＣ型枠を自立可能な構造とすることによって、ＰＣ型枠の据え付け作業の簡易化を図り、しかも簡易な固定だけで、後打ちコンクリートの打設が可能とした提案がみられる。
【０００５】
この提案では、水平の台座版と斜壁版が連続部を介して一体となり、前記台座版の前後方向の寸法より前記斜壁版が高く、かつ前後方向の寸法が大きな構造を有し、重心位置やアンカーボルト位置並びにレベル調整手段を有したＰＣ型枠による斜面施工構造を採っている。このような構成とすれば、パネルは自立し、高さ調整も可能である。
【先行技術文献】
【特許文献】
【０００６】
【特許文献１】特許第２９５８４２４号公報
【特許文献２】特許第４０７９４３５号公報
【発明の概要】
【発明が解決しようとする課題】
【０００７】
しかしながら、上記いずれの提案も、下段から順次上方に延長しながらパネルを設置する際、側圧等によって傾斜角度にズレが生じても調整することが難しい。また、段差を有したパネルを重ね合わせる方法は能率的とはいえず、自立式とするためには略Ｌ字型の製品としなければならないといった問題点がある。
【０００８】
本発明が解決しようとする課題は、従来の発明が抱える上記の諸課題を解消し、構造が単純で設置も容易でありながら、傾斜角度などのズレが生じた場合でも調整することが可能であり、かつ高さや横方向の位置ズレも容易に調整できるプレキャスト傾斜型枠パネルおよびこれを用いた堤体の構築方法に関するものである。
【課題を解決するための手段】
【０００９】
前記の目的を達成するため、請求項１に係る発明は、ダム堤体などの斜面を構築する際に用いるプレキャスト傾斜型枠パネルであって、該傾斜型枠パネルの上辺部端面に断面形状がほゞ半小判形の凹部を、下辺部端面に前記凹部と緩く嵌合するほゞ半円形の凸部をそれぞれ形成したことを特徴とするプレキャスト傾斜型枠パネルである。
【００１０】
また、請求項２の発明は、前記プレキャスト傾斜型枠パネルの上辺部及び下辺部を背面側に突出させて中央部の断面厚より大きい肉厚部でそれぞれ形成するとゝもに、前記肉厚部とした上辺部および下辺部の端面に前記凹部および凸部をそれぞれ形成したことを特徴とするプレキャスト傾斜型枠パネルであり、請求項３の発明は、前記プレキャスト傾斜型枠パネルの背面を粗面化したことを特徴とするプレキャスト傾斜型枠パネルである。
【００１１】
請求項４の発明は、前記プレキャスト傾斜型枠パネルの背面に、上方延長の受け金具を固定するための上下両辺部に埋設したインサート、左右延長の連結金具を固定するための左右両辺部に埋設したインサート及びパネルの背面側に打設されるＣＳＧ部と一体性を確保するためにアンカーを固定するためのインサートをそれぞれ備えたことを特徴とするプレキャスト傾斜型枠パネルである。
【００１２】
請求項５の発明は、前記プレキャスト傾斜型枠パネルの上方位置に、吊り金具の取付けボルト部を挿通するための貫通孔を穿設してなり、該貫通孔に前記吊り金具の取付けボルト部を正面側から挿通し、貫通した前記取付けボルト部を背面側で固定してパネルの正面側の上方位置に取り付けてなる前記吊り金具を、背面側で固定を解いて前記吊り金具を取り外し可能となるように形成したことを特徴とするプレキャスト傾斜型枠パネルである。
【００１３】
また、請求項６の発明は、前記プレキャスト傾斜型枠パネルの全高をパネルの背面側に打設される２リフト分のＣＳＧ部の高さとほゞ同じ高さに形成するとゝもに、１リフト分のＣＳＧ部と一体性を確保するために１リフト分のＣＳＧ部の高さより低い位置に埋設したアンカーを固定するためのインサートを備えたことを特徴とするプレキャスト傾斜型枠パネルである。
【００１４】
更に、請求項７に係る発明は、前記プレキャスト傾斜型枠パネルを所定角度傾斜させ、左右に連結金具を介して１段目のプレキャスト傾斜型枠パネルを延設する第１工程、前記各パネルの背面にアンカーを取り付けた後、１リフト分の下部ＣＳＧ部を施工する第２工程、上方延長の受け金具の下端部を前記パネルの上辺部に固定した後、更に１リフト分の上部ＣＳＧ部を施工する第３工程、前記上辺部端面に形成した凹部と下辺部端面に形成した凸部の突き合わせ部において、前記凸部を凹部内で回動，左右方向および／または上方向へ移動して調整をする第４工程、前記受け金具の上端部を２段目のプレキャスト傾斜型枠パネルの下端部に固定して２段目のプレキャスト傾斜型枠パネルを延設する第５工程からなり、上記第１から第５の各工程を繰り返すことを特徴とする堤体の構築方法である。
【００１５】
そして、請求項８に係る発明は、前記連結金具のパネルとの取り付け孔が楕円状のボルト孔であり、起立部に形成した連結孔が斜め楕円状のボルト孔であるＬ字形の鋼材金具であることを特徴とする堤体の構築方法である。
【発明の効果】
【００１６】
本願の請求項１記載の本発明によれば、プレキャスト傾斜型枠パネルの上辺部端面に断面形状がほゞ半小判形の凹部を、下辺部端面に前記凹部と緩く嵌合するほゞ半円形の凸部をそれぞれ形成した構成とすることで、下段の傾斜型枠パネルの凹部と上段の傾斜型枠パネルの凸部との突き合わせ部において、所要の傾斜角度，左右方向，上方向に自在に調整でき、型枠の組立，斜面の構築が容易である。
【００１７】
請求項２記載の本発明によれば、前記半小判形の凹部と半円形の凸部とが、中央部の断面厚より大きい肉圧部で形成した上辺部端面及び下辺部端面にそれぞれ形成したことを特徴とすることから、パネルの中央部の肉厚はパネルの背面側に打設するＣＳＧによる側圧によって生じるモーメントに耐えうる最小限の厚さの製品とすることができる。
【００１８】
したがって、材料の節減，製品の軽量化が図られ経済的であるとゝもに、凹凸部を形成する部分であるパネルの上辺部及び下辺部の肉厚を中央部の肉厚に左右されることなく自在に形成することで、嵌合部において高い構造強度のパネルを自在に得ることができる。又請求項３記載の本発明によれば、前記傾斜型枠パネルの背面を粗面化したため、パネルとＣＳＧ部との一体性が図られ、構造的に高強度の斜面を構築できる。
【００１９】
また、請求項４記載の本発明によれば、前記プレキャスト傾斜型枠パネルの背面に、上方延長の受け金具を固定するためのインサート、左右延長の連結金具を固定するためのインサート及びパネルの背面側に打設される１リフト分のＣＳＧ部と一体性を確保するため１リフト分のＣＳＧ部の高さより低い位置に埋設したアンカーを固定するためのインサートをそれぞれ備えたことを特徴とし、また請求項５に記載した発明によれば、プレキャスト傾斜型枠パネルの上方位置に、吊り金具の取付けボルト部を挿通するための貫通孔を穿設し、前記吊り金具を前記パネルの背面側から取り外しが可能となるように形成したことを特徴とすることから、上方延長のための受け金具，左右延長のための連結金具，アンカーの取り付けは全てプレキャスト傾斜型枠パネルの背面側から設置することができ、作業能率が向上する。
【００２０】
そして、請求項６に記載した本発明によれば、プレキャスト傾斜型枠パネルの全高をパネルの背面側に打設される２リフト分のＣＳＧ部の高さとほゞ同じ高さに形成するとゝもに、１リフト分のＣＳＧ部と一体性を確保するため１リフト分のＣＳＧ部の高さより低い位置にアンカーを固定する構成としたことを特徴とすることから、１リフト分のＣＳＧ部との一体性が確保されるとゝもに、ＣＳＧ部の側圧も１リフト分だけを考慮すればよく、施工も容易となる。
【００２１】
請求項７に記載した発明によれば、プレキャスト傾斜型枠パネルを所定角度傾斜させ、左右に連結金具を介して１段目のプレキャスト傾斜型枠パネルを延設する第１工程、前記各パネルの背面にアンカーを取り付けた後、１リフト分の下部ＣＳＧ部を施工する第２工程、上方延長の受け金具の下端部を前記パネルの上辺部に固定した後、１リフト分の上部ＣＳＧ部を施工する第３工程、前記上辺部端面に形成した凹部と下辺部端面に形成した凸部の突き合わせ部において、前記凸部を凹部内で回動，左右方向および／または上方向へ移動して調整をする第４工程、前記受け金具の上端部を２段目のプレキャスト傾斜型枠パネルの下端部に固定して２段目のプレキャスト傾斜型枠パネルを延設する第５工程からなり、上記の各工程を繰り返すことを特徴とする堤体の構築方法であるから、左右の延長、上方への積み上げともスムーズに進行できるよう計画できる。
【００２２】
さらに、請求項８に記載した本発明によれば、前記連結金具のパネルとの取り付け孔が楕円状のボルト孔であり、起立部に形成した連結孔が斜め楕円状のボルト孔であるＬ字形の鋼材金具であることを特徴とする堤体の構築方法であるから、連結金具の斜め楕円状ボルト孔によって左右延長方向の位置決めは容易となる。
【発明を実施するための最良の形態】
【００２３】
以下、本発明を図面に示す一実施形態に基づいて詳細に説明する。図において、１は本発明に係るプレキャスト傾斜型枠パネル（以下、ＰＣ傾斜型枠パネルと言います）で、図示する実施例のものは、大きさが３００cm（横幅）×２００cm（高さ）×１０cm（厚さ）の横長方形のものである。このＰＣ傾斜型枠パネル１の上辺部２は背面側に１０cm程度の突出部２Ａを、また下辺部４も同じく背面側に５cm程度の突出部４Ａをそれぞれ備えており、上下両辺部２，４の各断面厚は上辺部２で１０cm、下辺部４で５cmだけ中央部１Ａの断面厚（１０cm）よりもそれぞれ厚い構成としている。
【００２４】
このように、ＰＣ傾斜型枠パネル１の上辺部２及び下辺部４の各断面厚を、中央部１Ａの断面厚とは異なる所望大きさの断面厚、すなわち中央部１Ａの断面厚とは異なる上記のような所望厚さとする理由は以下の点にある。ＰＣ傾斜型枠パネル１を上方に延長する際に、本発明では嵌合によって連結するための後述する凹凸部３，５を上辺部２及び下辺部４の上・下端面２Ｂ，４Ｂにそれぞれ形成するが、所望の構造強度を備えた凹凸部とするためには上辺部２及び下辺部４を所定の肉厚とする必要がある。
【００２５】
しかし、ＰＣ傾斜型枠パネル１の中央部１Ａは、背面側に打設されるＣＳＧによる側圧によって生じるモーメントに耐え得る最小限の厚さであれば良いので、中央部１Ａの断面厚をＰＣ傾斜型枠パネル１の上下方向の連結部となる上辺部２及び下辺部４の肉厚と同じ大きさの肉厚で形成する必要はない。勿論、パネル１の全断面を同じ肉厚にしてもよいが不経済である。
【００２６】
また、本実施例において、ＰＣ傾斜型枠パネル１の全高を２００cmとしたが、これは１リフト分のＣＳＧ部の高さが１００cmとした場合に有用となるよう形成したものであり、本実施例ではパネル１の全高を２リフト分のＣＳＧ部の高さを確保できる構成とした。そして、本発明において、後述するアンカーの取付け位置を１００cm直下、具体的には下辺部４から約９０cm付近の位置にアンカーを取付けることで、ＣＳＧ部による側圧も１リフト分のモーメントだけを考慮すればよく、施工も容易となる。
【００２７】
３はＰＣ傾斜型枠パネル１の上辺部２の上端面２Ｂに形成した凹部で、断面形状がほゞ半小判形としたものであり、ＰＣ傾斜型枠パネル１の上辺部２に沿って全長に亘って形成さている。すなわち、この凹部３は、図５（１）に示すように、中央の一部に直線部３Ａを有し、該直線部３Ａの両端に円弧部３Ｂ，３Ｃをそれぞれ有する断面半小判形としたものである。
【００２８】
５はＰＣ傾斜型枠パネル１の下辺部４の下端面４Ｂに形成した凸部で、断面形状がほゞ半円形としたものであり、ＰＣ傾斜型枠パネル１の上段にパネル１を繋いで上方へ延長する際に、前記上辺部２に形成した前記半小判形の凹部３と緩く嵌合させ、該凹部３内で前記凸部５を回動，左右又は上方向へ移動することで調整し連結するためのものであり、前記凸部５はパネル１の下辺部４に沿って全長に亘って形成されている。
【００２９】
６は前記突出部２Ａ，４Ａにそれぞれ形成した切り欠き部で、パネル１を上方向に延長する際に、下段のパネル１ー１と上段のパネル１ー２とを連結するために使用する受け金具７の設置溝である。この受け金具７は、図６に示すように、横断面がＬ字形の長尺体であって、パネル１の裏面と当接する底板７Ａにはボルト孔、詳しくは、最下位に円孔７ａが、その上方には楕円孔７ｂ，７ｃ・・が所定の間隔をおいて形成されており、パネル１の上・下両辺部２，４にそれぞれ埋設したインサート８との上下方向の位置合わせを可能としている。
【００３０】
９は前記プレキャスト傾斜型枠パネル１を所定角度傾斜させ、その左右のパネル１と連結するために使用する連結金具で、図７に示すように、横断面がＬ字形のものであって、パネル１の裏面と当接する底板９Ａには楕円形からなる一対のボルト孔９ａ，９ｂが、起立板９Ｂには斜め楕円状のボルト孔９Ｃが形成されている。これによって左右延長方向の位置決めは容易となる。なお、図中、１０は前記ボルト孔９ａ，９ｂに挿入したボルトにより固定するためのインサートである。
【００３１】
１１はパネル１の背面側に装着するアンカーで、その取り付けは、図１，図２，図４に示すように、１リフト分のＣＳＧ部の高さを１００cmとした場合、上記のように、パネル１の下辺部４から上方へ９０cmだけ高い位置に埋設したインサート１２に取付ける。これより、アンカー１１と１リフト分のＣＳＧ部との一体性が確保され、上方に施工される２リフト分のＣＳＧ部によって生じる側圧を常に１リフト分だけを考慮すればよい構造としている。なお、図中、１３は吊り具で、前記パネル１の背面側から取り外すことができるように、取り付け部１３Ａがパネル１の上方位置に穿設した貫通孔１４に挿入され、その先端部が背面側に突出している。
【００３２】
図３，図４および図８は本発明に係る堤体の構築工程を示したものである。基礎部Ｄについては、ＰＣ傾斜型枠パネル１ー１を所定角度傾斜させてアンカーを打ち込み（図示しない）地盤に固定する。そして、地盤に固定したこのＰＣ傾斜型枠パネル１ー１の左右に連結金具９を介してパネル１ー１，１ー１同志を連結し、左右方向に延長した各パネル１ー１の背面にアンカー１１を取り付ける。その後、各パネル１ー１，１ー１の背面側に１リフト分のＣＳＧ１部を施工するとゝもに、上方延長の受け金具７の下端部をパネル１ー１の上辺部２に埋設したインサート８を介して固定する。
【００３３】
つぎに、１リフト分のＣＳＧ２部を施工し、ある程度固まった後、吊り具１３を介して上段のパネル１ー２をクレーン等により吊り上げ、図３に示すように、このパネル１ー２の下辺部４に形成した凸部５を前記基礎部Ｄとした下段のパネル１ー１の上に、その上辺部２に形成した凹部３と嵌合するようにして降ろし、上段のパネル１ー２を所望の傾斜角度に傾斜させた状態に保持する。そして、嵌合部３，５において、下段のパネル１ー１に対する上段のパネル１ー２の傾斜角度等を図５に示すように回動，左右又は上方向へ移動せしめることで調整する。
【００３４】
図５（１）〜図５（４）は、ＰＣ傾斜型枠パネル１の前記上辺部２の上端面２Ｂに形成した半小判形の凹部３と、下辺部４の下端面４Ｂに形成した半円形の凸部５との突き合わせた状態を図示したもので、（１）は標準接合時，（２）は水平移動調整時，（３）は回転移動調整時，（４）は上方移動調整時をそれぞれ示している。
【００３５】
一般に、下段のパネル１ー１と上段のパネル１ー２間における上下方向の調整は最上段部において可能であるため行わないが、２リフト分の高さが確保できない場合には、特に材質は限定しないが、図５（４）に示すように、図５（１）に示す標準接合の状態から、凹部３と凸部５の突き合わせ部にスペーサー１５Ａを介在させることで、上段のパネル１ー２を下段のパネル１ー１に対してスペーサー１５Ａの高さ分だけ上方へ移動させることで高さの調整を行う。
【００３６】
また水平移動調整時には、図５（１）に示す標準接合の状態から、図５（２）に示すように、受け金具７とパネル１の裏面との間に同様にスペーサー１５Ｂを介在させる。この時、半小判形の凹部３には直線部３Ａがあることから、凸部５を高さを変えないで凹部３内で直線部３Ａを左右方向に容易に滑動させることができ、図中右側の円弧部３Ｃで凸部５を抱持させることで上段のパネル１ー２の水平移動の調整を行う。
【００３７】
そして、回転移動調整時には、図５（１）に示す標準接合の状態から図５（３）に示すように、凸部５を高さを変えないで凹部３内で矢印方向に滑動させ、凸部５を半小判形の凹部３の外側の円弧部３Ｃと嵌合させる。そして、この位置で上段のパネル１ー２を凸部５を中心として反時計方向に回動させることで上段のパネル１ー２を下段のパネル１ー１に対して所望の角度θだけ左方向に傾斜させ、下段のパネル１ー１に対する上段のパネル１ー２の傾斜角度の調整を行う。
【００３８】
そして、連結金具９を介し左右にパネル１ー２を延長させながら同様に傾斜角度の調整を行う。次に、吊り具１３の取り付け部１３Ａをパネル１の背面側でその固定を外し、貫通孔１４から取り付け部１３Ａをパネル１の表面側方向へ抜き出すことで、吊り具１３を上段のパネル１ー２から取り外す。
【００３９】
次に、上段のパネル１ー２の背面にアンカー１１を取り付け、その後、上段のパネル１ー２の背面側に１リフト分のＣＳＧ１部を施工し、前記アンカー１１をＣＳＧ１部内に埋設する。そして、上段のパネル１ー２の上辺部２に上方延長の受け金具７の下端部を固定した後、前記ＣＳＧ１部の上にさらに１リフト分のＣＳＧ２部を施工する。上段のパネル１ー２の上に更にパネルを延長させる場合には、上記の各手順を繰り返すことで積み上げることができる。
【００４０】
このように、本発明では、同一形状のプレキャスト傾斜型枠パネル１を水平方向に順次延長させ、１リフトずつＣＧＳ部を施工して下段のパネル１ー１を設置し、その上に上段のパネル１ー２をパネル位置を位置調整しながら上方に積み上げていくことで、容易に傾斜する堤体を構築できる。
【図面の簡単な説明】
【００４１】
【図１】本発明の一実施形態に係るプレキャスト傾斜型枠パネルを背面側から見た斜        視図である。
【図２】同パネルの側面図である。
【図３】同パネルを使用して堤体を構築する際の第１段階の作業説明図である。
【図４】同第２段階の作業説明図である。
【図５】下段のパネルの上に上段のパネルを連結する際の嵌合部における調整時の作        用説明図である。
【図６】受け金具の斜視図である。
【図７】連結金具の斜視図と正面図である。
【図８】堤体の構築工程を示すブロック図である。
【符号の説明】
【００４２】
１  プレキャスト傾斜型枠パネル
１Ａ  同中央部
２  上辺部
２Ａ  突出部
３  凹部
３Ａ  直線部
３Ｂ，３Ｃ  円弧部
４  下辺部
４Ａ  突出部
５  凸部
７  受け金具
９  連結金具
１１  アンカー
１３  吊り具
１３Ａ  取り付け部
１４  貫通孔
１５  スペーサー
【図１】
0005520750.tif 000002
【図２】
0005520750.tif 000003
【図３】
0005520750.tif 000004
【図４】
0005520750.tif 000005
【図５（１）】
0005520750.tif 000006
【図５（２）】
0005520750.tif 000007
【図５（３）】
0005520750.tif 000008
【図５（４）】
0005520750.tif 000009
【図６】
0005520750.tif 000010
【図７】
0005520750.tif 000011
【図８】
0005520750.tif 000012